(57)【特許請求の範囲】
【請求項１】
枕の上面を構成する上側生地の内側に、詰物を出し入れするための第１の開口部を有した第１の詰物充填部を複数配置し、
前記枕の下面を構成する下側生地の内側に、前記詰物を出し入れするための第２の開口部を有した第２の詰物充填部を前記第１の詰物充填部に対向した状態で複数配置し、
前記第１の開口部は、前記第１の詰物充填部における前記第２の詰物充填部側の表面に設けられ、
前記上側生地の少なくとも一部を前記下側生地から分離可能な状態で接合する接合手段を備えたことを特徴とする枕。
【請求項２】
請求項１に記載した枕において、
前記接合手段は、前記枕の周縁部の一部に設けられていることを特徴とする枕。
【請求項３】
請求項２に記載した枕において、
前記上側生地と前記下側生地とは、互いの縁部の一部が縫合されるとともに、他の一部が前記接合手段によって開閉自在な状態で接合されていることを特徴とする枕。
【請求項４】
請求項１ないし請求項３のうちのいずれか１つに記載した枕において、
前記上側生地および前記下側生地における互いに対向する各裏地には、互いに貼り合わされる一対の面ファスナーが設けられていることを特徴とする枕。
【請求項５】
請求項１ないし請求項４のうちのいずれか１つに記載した枕において、
前記第２の詰物充填部は、襠を備えることを特徴とする枕。
【請求項６】
請求項１ないし請求項５のうちのいずれか１つに記載した枕において、
前記枕の周縁部の一部に凹状の逃げ部を備えたことを特徴とする枕。
【発明の詳細な説明】
【技術分野】
【０００１】
本発明は、枕の内部に充填する詰物の材質、量および硬さを枕内部の部分ごとに適宜調整することができる枕に関する。
【背景技術】
【０００２】
一般に、密閉された布製の袋体内にそば殻、ビーズ、またはウレタン材などからなる素材を詰物として充填した枕が広く用いられている。従来、枕は、単一の素材からなる詰物を充填して構成されることが多かったが、近時においては、枕の使用感を向上させる目的で互いに異なる種類の素材からなる詰物を適宜組み合わせて充填した枕が提案されている。
【０００３】
例えば、下記特許文献１には、枕の内部空間を複数の小空間（小室）に分割するとともに、同小空間内をセパレートシートを用いて上下２層に区画することにより、小空間ごとに上層および下層に互いに異なる素材からなる詰物を充填することができる枕が開示されている。これにより、使用者の好みの使用感（例えば、高さ、硬さ、通気性、および保温性など）が得られる枕を実現しようとしている。
【特許文献１】特許第３８７３２２８号公報
【０００４】
しかしながら、上記特許文献１に開示された枕においては、枕内部に形成された小空間が上下２層に分かれているため、詰物の出し入れを繰り返す枕の調製作業の作業性が悪いという問題がある。すなわち、このような枕に詰物を充填する場合においては、使用者の求めに応じて複数種類の素材からなる詰物を適宜交換または充填量を調整しながら使用者にとって最適な使用感が得られる枕に仕上げられる。ところが、この場合、詰物を充填する小空間の内部が２つの層に分かれているため、一方の層への詰物の出し入れ作業において他方の層へ詰物が混入、または同他方の層から一方の層へ詰物が混入することがある。特に、上層の詰物の充填量を維持した状態で下層の詰物の充填量または種類を変更する場合、または大きさの小さい粒状の詰物を出し入れする場合においては、上下層間相互の詰物の混入が生じ易く作業性が著しく悪い。このため、使用者の欲する使用感の得られる枕を調製し難いという問題があった。
【発明の開示】
【０００５】
本発明は上記問題に対処するためなされたもので、その目的は、枕の内部に同種または異種の素材からなる詰物を容易に出し入れすることができ、使用者の欲する使用感の得られる枕を簡単かつ短時間に調製することができる枕を提供することにある。
【０００６】
上記目的を達成するため、請求項１に係る本発明の特徴は、枕の上面を構成する上側生地の内側に、詰物を出し入れするための第１の開口部を有した第１の詰物充填部を複数配置し、枕の下面を構成する下側生地の内側に、詰物を出し入れするための第２の開口部を有した第２の詰物充填部を前記第１の詰物充填部に対向した状態で複数配置し、第１の開口部は、第１の詰物充填部における第２の詰物充填部側の表面に設けられ、上側生地の少なくとも一部を下側生地から分離可能な状態で接合する接合手段を備えたことにある。
【０００７】
枕は、枕の上面を構成する上側生地の内側に詰物を出し入れするための第１の開口部を有する第１の詰物充填部を備えるとともに、枕の下面を構成する下側生地の内側に同詰物を出し入れするための第２の開口部を有する第２の詰物充填部を前記第１の詰物充填部に対向した状態で設けて構成されている。すなわち、枕内部には、上側と下側に複数の詰物充填部がそれぞれ独立した状態で設けられている。この場合、詰物を出し入れする開口部は各詰物充填部ごとに設けられている。これらにより、第１および第２の詰物充填部に詰物を出し入れする際においては、上下方向に隣接する第１および第２の詰物充填部間において詰物が互いに混入することがない。この結果、枕の内部に同種または異種の素材からなる詰物を容易に出し入れでき、使用者の欲する使用感（例えば、高さ、硬さ、通気性、および保温性など）の得られる枕を簡単かつ短時間に調製することができる。また、第１の詰物充填部は、上側生地の内側に複数配置され、第２の詰物充填部は、下側生地の内側に複数配置されているため、第１および第２の詰物充填部に詰物を出し入れする際、第１の詰物充填部間、および第２の詰物充填部間で詰物が互いに混入することがない。この結果、枕の内部に同種または異種の素材からなる詰物を容易に出し入れでき、使用者の欲する使用感の得られる枕を簡単かつ短時間に調製することができる。また、上側生地の表地には第１の詰物充填部の第１の開口部が設けられていないため、上側生地の表地に接する使用者に第１の開口部が触れることによる不快感を生じさせることがない。すなわち、上記特許文献１に開示された枕においては、詰物を出し入れするための開口部が使用者の頭部を載せる枕上面に設けられているため、枕の使用感が損なわれていたが、本願発明によれば、快適な使用感を得ることができる。
【０００８】
また、請求項２に係る本発明の他の特徴は、前記枕において、接合手段は、枕の周縁部の一部に設けられていることにある。このように構成した請求項２に係る本発明の他の特徴によれば、接合手段は枕の周縁部の一部に設けられているため、枕の使用者は接合手段が設けられていない部分を使用者側に向けて枕を使用することができる。換言すれば、使用者側に向けられる枕の周縁部以外の周縁部に接合手段を設けるとよい。これにより、枕の調製者による調整作業が行い易くなるとともに、使用者の使用感が向上する。すなわち、調製者は、使用者の頭部が枕上に載せられた状態で上側生地と下側生地との間に手やスペーサなどを差し入れて使用者の頭の位置、詰物の充填具合、または枕の厚さ（所謂枕の高さ）を確認することができる。また、使用者は、枕の使用時に接合手段が触れることがないため快適に枕を使用することができる。
【０００９】
また、請求項３に係る本発明の他の特徴は、前記枕において、上側生地と下側生地とは、互いの縁部の一部が縫合されるとともに、他の一部が接合手段によって開閉自在な状態で接合されていることにある。
【００１０】
また、請求項４に係る本発明の他の特徴は、前記枕において、上側生地および下側生地における互いに対向する各裏地には、互いに貼り合わされる一対の面ファスナーが設けられていることにある。
【００１１】
また、請求項５に係る本発明の他の特徴は、前記枕において、第２の詰物充填部は、襠を備えることにある。このように構成した請求項５に係る本発明の他の特徴によれば、第２の詰物充填部は、襠を備えているため、第２の詰物充填部（延いては、枕）を型崩れさせることなく大量の詰物や方形状の詰物を充填することができる。また、肩幅の広い使用者の横臥時においても、使用者と枕との密着性を確保することができ使用感を向上させることができる。
【００１２】
また、請求項６に係る本発明の他の特徴は、前記枕において、枕の周縁部の一部に凹状の逃げ部を備えたことにある。このように構成した請求項６に係る本発明の他の特徴によれば、枕の周縁部の一部に凹状の逃げ部が設けられているため、枕の使用者は逃げ部が設けられた部分を使用者側に向けて枕を使用することができる。換言すれば、使用者側に向けられる枕の周縁部に逃げ部を設けるとよい。これによれば、使用者の頸部に枕の上側生地が密着するとともに、枕の逃げ部近傍の周縁部と使用者の肩部とが密着する。また、使用者が横臥した際においても使用者と枕１００との密着性が確保される。これらの結果、快適な使用感を得ることができる。
【発明を実施するための最良の形態】
【００１３】
（枕１００の構成）
以下、本発明に係る枕の一実施形態について図面を参照しながら説明する。図１（Ａ），（Ｂ）は、本発明に係る枕１００の外観を概略的に示す図であり、（Ａ）は枕１００の表側を示す斜視図であり、（Ｂ）は同枕１００の裏側を示す斜視図である。ここで、枕１００の表側とは使用者の頭部を載せる上面側であり、裏側とは枕１００が配置される面（例えば、敷布団）に接する下面側である。なお、本明細書において参照する各図は、本発明の理解を容易にするために一部の構成要素を誇張して表わすなど模式的に表している。このため、各構成要素間の寸法や比率などは異なっていることがある。
【００１４】
この枕１００は、上面視略長方形状の綿布からなる上側生地１１０と下側生地１２０とを袋状に縫合して形成されている。ここで、上側生地１１０は、使用者の頭部が載せられる枕１００の表側を構成しており、下側生地１２０は、枕１００が配置される面（例えば、敷布団）に接する枕１００の裏側を構成している。
【００１５】
これらのうち、上側生地１１０は、図２に示すように、枕１００の上面を構成する生地であり、枕１００の表側に配置される表地１１１と、同枕１００の内側に配置される裏地１１２とから構成されており、表地１１１および裏地１１２の互いの縁部が縫合されて上面視略長方形状の袋状に形成されている。この上側生地１１０における図示下側の縁部中央部には、図示上方に向かって凹状に凹んだ逃げ部１１０ａが形成されている。
【００１６】
上側生地１１０の内側には、表地１１１と裏地１１２とを縦方向および横方向に複数縫合することにより、表地１１１と裏地１１２との間の空間を独立した複数の小空間に分割した詰物充填部１１３ａ〜１１３ｇが形成されている。詰物充填部１１３ａ〜１１３ｇは、枕１００の使用感（例えば、高さ、硬さ、通気性、および保温性など）の調製に用いる図示しない詰物Ｔを充填するための空間であり、それぞれ独立した袋状に形成されている。すなわち、この詰物充填部１１３ａ〜１１３ｇが、本発明に係る第１の詰物充填部に相当する。
【００１７】
本実施形態においては、表地１１１と裏地１１２とを枕１００の横方向（長手方向）に３分割するとともに、同分割した３つの空間のうち中央部の空間を更に枕１００の縦方向に３分割して詰物充填部１１３ａ〜１１３ｃを形成している。また、横方向に分割した３つの空間のうち両側の２つの空間を更に枕１００の縦方向に２分割して詰物充填部１１３ｄ〜１１３ｇを形成している。これらのうち、詰物充填部１１３ａ〜１１３ｃは使用者の頸部および後頭部を載せる部分であり、詰物充填部１１３ｄ〜１１３ｇは使用者の横臥時における両頬部および両側頭部を載せる部分である。
【００１８】
詰物充填部１１３ａ〜１１３ｇには、裏地１１２に開口する開口部１１４ａ〜１１４ｇがそれぞれ設けられている。開口部１１４ａ〜１１４ｇは、詰物充填部１１３ａ〜１１３ｇ内に所定の詰物Ｔを出し入れするための口であり、本発明に係る第１の開口部に相当する。この開口部１１４ａ〜１１４ｇの内側には、詰物充填部１１３ａ〜１１３ｇ内の詰物の漏出を防止するためのスリーブ状の返し布１１５ａ〜１１５ｇがそれぞれ設けられている。また、裏地１１２の中央部には４つの面ファスナー１１６がそれぞれ設けられている。
【００１９】
下側生地１２０は、図３に示すように、枕１００の下面を構成する生地であり、枕１００の裏側表面に配置される表地１２１と、同枕１００の内側に配置される裏地１２２とから構成されており、表地１２１および裏地１２２の互いの縁部が縫合されて上面視略長方形状の袋状に形成されている。この下側生地１２０における表地１２１には、図４に示すように、同表地１２１の縁部が図示上方に向かって起立した状態の襠１２１ａが設けられており、裏地１２２の縁部はこの襠部１２１ａの縁部と縫合されている。また、下側生地１２０における図示下側の縁部中央部には、前記逃げ部１１０ａに対応して図示上方に向かって凹状に凹んだ逃げ部１２０ａが形成されている。
【００２０】
下側生地１２０の内側には、図５に示すように、前記襠１２１ａと同様の高さに形成された襠１２１ｂを介して表地１２１と裏地１２２とを縦方向および横方向に複数縫合することにより、表地１２１と裏地１２２との間の空間を独立した複数の小空間に分割した詰物充填部１２３ａ〜１２３ｇが形成されている。詰物充填部１２３ａ〜１２３ｇは、詰物充填部１１３ａ〜１１３ｇと同様に、枕１００の使用感の調製に用いる詰物Ｔを充填するための空間であり、それぞれ独立した袋状に形成されている。すなわち、この詰物充填部１２３ａ〜１２３ｇが、本発明に係る襠を備えた第２の詰物充填部に相当する。
【００２１】
本実施形態においては、詰物充填部１２３ａ〜１２３ｇは詰物充填部１１３ｄ〜１１３ｇに対応して設けられている。すなわち、表地１２１と裏地１２２とを枕１００の横方向（長手方向）に３分割するとともに、同分割した３つの空間のうち中央部の空間を更に枕１００の縦方向に３分割して詰物充填部１２３ａ〜１２３ｃを形成している。また、横方向に分割した３つの空間のうち両側の２つの空間を更に枕１００の縦方向に２分割して詰物充填部１２３ｄ〜１２３ｇを形成している。これらのうち、詰物充填部１２３ａ〜１２３ｃは詰物１１３ａ〜１１３ｃに対応し、詰物充填部１２３ｄ〜１２３ｇは詰物充填部１１１３ｄ〜１１３ｇに対応する。
【００２２】
詰物充填部１２３ａ〜１２３ｇには、表地１２１に開口可能なファスナー開口部１２４ａ〜１２４ｇがそれぞれ設けられている。ファスナー開口部１２４ａ〜１２４ｇは、詰物充填部１２３ａ〜１２３ｇ内に所定の詰物を出し入れするための口であり、本発明に係る第２の開口部に相当する。このファスナー開口部１２４ａ〜１２４ｇの内側には、詰物充填部１２３ａ〜１２３ｇ内の詰物の漏出を防止するためのスリーブ状の返し布１２５ａ〜１２５ｇがそれぞれ設けられている。また、裏地１２２における中央部には前記面ファスナー１１６に対応する面ファスナー１２６がそれぞれ設けられている。
【００２３】
これらの上側生地１１０と下側生地１２０とは、裏地１１２と裏地１２２とが互いに対向した向きで互いの縁部における一部が縫合されるとともに、他の一部がファスナー１３１によって開閉自在な状態で接合されており、枕１００を一体的に形成している。具体的には、上側生地１１０および下側生地１２０における図示下側の各縁部、および同下側の縁部に連続する図示左右両側の縁部の図示下側の略半分が縫合されている。
【００２４】
また、上側生地１１０および下側生地１２０における図示上側の各縁部、および同上側の縁部に連続する図示左右両側の縁部の図示上側の略半分がファスナー１３１により開閉自在に接合されている。すなわち、上側生地１１０は、ファスナー１３１が開いた状態で下側生地１２０に対して図示上側の略半分が捲れるようになっている。このファスナー１３１が、本発明に係る接合手段に相当する。また、上側生地１１０と下側生地１２０とが縫合およびファスナー１３１により接合された枕１００の周囲部分（側面部分）が枕１００の周縁部である。
【００２５】
（枕１００の作動）
次に、上記のように構成した枕１００の作動について説明する。まず、枕１００へ詰物Ｔを充填する枕１００の調整作業について説明する。枕１００の調製者は、詰物充填部１１３ａ〜１１３ｇ，１２３ａ〜１２３ｇに詰物Ｔが充填されていない枕１００と、同枕１００に充填する詰物Ｔを用意する。この場合、詰物Ｔは、前記したように、枕１００の使用感（例えば、高さ、硬さ、通気性、および保温性など）を調製するための部材であり、例えば、そば殻、パンヤ、樹脂製ビーズ、筒状ビーズ（シンセテンホールビーズ、ドングリビーズなど）、綿、羽毛、木片チップ、液体または気体を内包したパック、またはウレタンなどで構成される。
【００２６】
次に、調製者は、枕１００の下側生地１２０の詰物充填部１２３ａ〜１２３ｇの各ファスナー開口部１２４ａ〜１２４ｇを開いて各詰物充填部１２３ａ〜１２３ｇ内に枕１００の使用者Ｕの好みに応じた詰物Ｔを好みに応じた量でそれぞれ充填する。図５は、詰物充填部１２３ａ〜１２３ｃ内に詰物Ｔとしてドングリビーズを充填した例を示している。なお、この場合、詰物充填部１２３ａ〜１２３ｇには襠１２１ａ，１２１ｂが設けられているため、枕１００の高さ調整の幅を広くすることができるとともに、大量の詰物Ｔを充填する場合、またはウレタンなどの方形状の詰物Ｔを充填する場合であっても詰物充填部１２３ａ〜１２３ｇ（延いては枕１００全体の形状）を型崩れさせることなく充填することができる。
【００２７】
次に、調製者は、図６に示すように、枕１００のファスナー１３１を開いて上側生地１１０における詰物充填部１１３ｃ，１１３ｅ，１１３ｇに相当する部分（図示右側半分）を反対側に捲る。これにより、上側生地１１０と下側生地１２０との間の内部空間（枕１００の内部）が開放され、上側生地１１０の裏地１１２の一部（詰物充填部１１３ｃ，１１３ｅ，１１３ｇに相当する部分）が外部に露出した状態となる。
【００２８】
調製者は、捲った上側生地１１０の裏地１１２に設けられた開口部１１４ａ〜１１４ｇを指で押し広げながら詰物充填部１１３ａ〜１１３ｇ内に使用者Ｕの好みに応じた詰物Ｔを好みに応じた量でそれぞれ充填する。そして、調製者は、捲った状態の上側生地１１０を下側生地１２０上に戻し、使用者Ｕによる使用感の確認を行う。この場合、調製者は、逃げ部１１０ａ，１２０ａ側を使用者Ｕの頸部側とする。図５は、詰物充填部１１３ａ〜１１３ｃ内に詰物Ｔとして綿を充填した例を示している。調製者は、使用感を確認した使用者Ｕの求めに応じて詰物充填部１１３ａ〜１１３ｇ，１２３ａ〜１２３ｇ内に充填した詰物Ｔの種類および充填量を適宜調整する。
【００２９】
この場合、詰物充填部１１３ａ〜１１３ｇ，１２３ａ〜１２３ｇは各個独立した袋状に形成されているため、詰物充填部１１３ａ〜１１３ｇ，１２３ａ〜１２３ｇへの詰物Ｔの出し入れ作業において詰物充填部１１３ａ〜１１３ｇ，１２３ａ〜１２３ｇの相互間で詰物Ｔが混入し合う事はない。また、ファスナー１３１が使用者Ｕの頭部側に設けられているため、調製者による調整作業が行い易い。すなわち、調製者は、使用者Ｕの頭部が枕１００上に載せられた状態で上側生地１１０と下側生地１２０との間に手やスペーサなどを差し入れて使用者の頭の位置、詰物Ｔの充填具合、または枕１００の厚さ（所謂枕の高さ）の確認を行うことができ、調整作業に反映させることができる。
【００３０】
また、詰物充填部１１３ａ〜１１３ｇ，１２３ａ〜１２３ｇの開口部１１４ａ〜１１４ｇおよびファスナー開口部１２４ａ〜１２４ｇの各裏側に返し布１１５ａ〜１１５ｇ，１２５ａ〜１２５ｇが設けられているため、詰物充填部１１３ａ〜１１３ｇ，１２３ａ〜１２３ｇ内に充填される詰物Ｔの不用意な漏出が防止される。これらにより、詰物Ｔの正確な充填作業を円滑かつ迅速に行うことができる。
【００３１】
そして、詰物充填部１１３ａ〜１１３ｇ，１２３ａ〜１２３ｇへの詰物Ｔの充填量が使用者の好みに合致した場合には、調製者は、上側生地１１０を下側生地１２０上に載置してファスナー１３１を閉じる。この場合、調製者は、上側生地１１０および下側生地１２０の各裏地１１２，１２２にそれぞれ設けられている面ファスナー１１６と面ファスナー１２６とを貼り合わせた状態でファスナー１３１を閉じる。これにより、枕１００の調整作業が終了する。
【００３２】
次に、枕１００の使用方法について説明する。使用者は、枕１００における上側生地１１０を上向きにした状態で枕１００を使用位置（例えば、就寝する布団上）に配置する。そして、使用者Ｕは、枕１００における周縁部に設けられた逃げ部１１０ａ，１２０ａ側を頸部側として頭部を上側生地１１０に載せて枕１００を使用する。この場合、枕１００の逃げ部１１０ａ，１２０ａが凹状に形成されているため使用者Ｕの頸部に枕１００の上側生地１１０が密着するとともに、枕１００の逃げ部１１０ａ，１２０ａ近傍の周縁部と使用者Ｕの肩部が密着する。また、使用者Ｕが横臥した際においても使用者Ｕと枕１００との密着性が確保されるとともに、肩幅が広い使用者Ｕが横臥した際においても詰物充填部１２３ａ〜１２３ｇに設けられた襠部１２１ａ，１２１ｂによって使用者Ｕと枕１００との密着性が確保される。これらにより、快適な使用感を得ることができる。
【００３３】
また、この場合、ファスナー１３１が使用者Ｕの頭部側に設けられているため、枕１００の周縁部に接する使用者Ｕにファスナー１３１が触れることによる不快感を生じさせることがない。また、上側生地１１０の表地１１１には詰物充填部１１３ａ〜１１３ｇの開口部１１４ａ〜１１４ｇが設けられていないため、上側生地１１０に接する使用者Ｕに開口部１１４ａ〜１１４ｇが触れることによる不快感を生じさせることがない。さらに、上側生地１１０および下側生地１２０の各裏地１１２，１２２にそれぞれ設けられている面ファスナー１１６と面ファスナー１２６とを貼り合わせているため、上側生地１１０が下側生地１２０に対してずれることが防止される。すなわち、詰物充填部１１３ａ〜１１３ｇと詰物充填部１２３ａ〜１２３ｇとの位置関係がずれることがないため、最適な調製具合を長時間に亘って維持することができる。
【００３４】
さらに、また、詰物充填部１１３ａ〜１１３ｇの開口部１１４ａ〜１１４ｇの裏側に返し布１１５ａ〜１１５ｇが設けられているため、詰物充填部１１３ａ〜１１３ｇ内に充填されている詰物Ｔの漏出が防止され、詰物充填部１１３ａ〜１１３ｇ内の詰物Ｔの充填量減少が防止される。これらにより、快適な使用感を長期間に亘って得ることができる。
【００３５】
上記作動説明からも理解できるように、上記実施形態によれば、枕１００は、枕１００の上面を構成する上側生地１１０の内側に詰物Ｔを出し入れするための開口部１１４ａ〜１１４ｇを有する詰物充填部１１３ａ〜１１３ｇを複数備えるとともに、枕１００の下面を構成する下側生地１２０の内側に同詰物Ｔを出し入れするためのファスナー開口部１２４ａ〜１２４ｇを有する詰物充填部１２３ａ〜１２３ｇを前記詰物充填部１１３ａ〜１１３ｇに対向した状態で設けて構成されている。すなわち、枕１００内部には、上側と下側に複数の詰物充填部１１３ａ〜１１３ｇ，１２３ａ〜１２３ｇがそれぞれ独立した状態で設けられている。この場合、詰物Ｔを出し入れする開口部１１４ａ〜１１４ｇおよびファスナー開口部１２４ａ〜１２４ｇは各詰物充填部１１３ａ〜１１３ｇ，１２３ａ〜１２３ｇごとに設けられている。これらにより、詰物充填部１１３ａ〜１１３ｇ，１２３ａ〜１２３ｇに詰物Ｔを出し入れする際においては、水平方向に隣接する詰物充填部１１３ａ〜１１３ｇ，１２３ａ〜１２３ｇ間、および上下方向に隣接する詰物充填部１１３ａ〜１１３ｇ，１２３ａ〜１２３ｇ間において詰物Ｔが互いに混入し合うことがない。この結果、枕１００の内部に同種または異種の素材からなる詰物Ｔを容易に出し入れでき、使用者Ｕの欲する使用感（例えば、高さ、硬さ、通気性、および保温性など）の得られる枕１００を簡単かつ短時間に調製することができる。
【００３６】
さらに、本発明の実施にあたっては、上記実施形態に限定されるものではなく、本発明の目的を逸脱しない限りにおいて種々の変更が可能である。
【００３７】
例えば、上記実施形態においては、上側生地１１０および下側生地１２０にそれぞれ７つずつの詰物充填部１１３ａ〜１１３ｇ，１２４ａ〜１２４ｇを設けた。しかし、詰物充填部１１３ａ〜１１３ｇ，１２４ａ〜１２４ｇを設ける位置、数、および大きさなどは、使用者Ｕの好みに応じて適宜決定すればよく、当然、上記実施形態に限定されるものではい。
【００３８】
また、上記実施形態においては、詰物充填部１１３ａ〜１１３ｇに詰物Ｔを出し入れするための開口部１１４ａ〜１１４ｇを上側生地１１０における裏地１１２に設けるとともに、詰物充填部１２３ａ〜１２３ｇに詰物Ｔを出し入れするためのファスナー開口部１２４ａ〜１２４ｇを下側生地１２０における表地１２１に設けた。しかし、開口部１１４ａ〜１１４ｇおよびファスナー開口部１２４ａ〜１２４ｇを設ける位置は、詰物充填部１１３ａ〜１１３ｇ，１２３ａ〜１２３ｇにそれぞれ詰物Ｔを出し入れできれば、当然、上記実施形態に限定されるものではい。例えば、開口部１１４ａ〜１１４ｇを上側生地１１０の表面１１１に設けてもよい。これによれば、上側生地１１０を下側生地１２０に対して分離するための構成、具体的にはファスナー１３１が不要となるため枕１００をより簡単に構成することができる。また、この場合、開口部１１４ａ〜１１４ｇからの詰物Ｔの露出をより確実に防止するため、開口部１１４ａ〜１１４ｇをファスナーで構成としてもよい。これらによっても、上記実施形態と同様に、使用者Ｕの欲する使用感の得られる枕１００を簡単かつ短時間に調製することができる。
【００３９】
また、上記実施形態においては、枕１００を使用する使用者Ｕの頭部側の周縁部にファスナー１３１を設けた。これは、枕１００の周縁部における使用者Ｕに接しない部分にファスナー１３１を配置することにより、使用者Ｕに不快感を生じさせないためである。したがって、ファスナー１３１を配置する位置は、使用者Ｕに不快感を与えない位置であれば、上記実施形態に限定されるものではない。また、本発明に係る接合手段の形態も、ファスナー１３１以外の形態であってもよい。例えば、ファスナー１３１に代えて、面ファスナー１１６，１２６を接合手段としてもよい。これによっても、上記実施形態と同様の効果が期待できる。
【００４０】
また、上記実施形態においては、詰物充填部１２３ａ〜１２３ｇに襠１２１ａ，１２１ｂを設けた。しかし、襠１２１ａ，１２１ｂは、詰物１２３ａ〜１２３ｇの詰物Ｔの容量を増加させて枕１００の高さの調整の幅を広くするためのものであり、本発明の必須の構成要素ではない。したがって、襠１２１ａ，１２１ｂを設けない構成の枕１００であっても、上記実施形態と同様に、使用者Ｕの欲する使用感の得られる枕１００を簡単かつ短時間に調製することができる。
【００４１】
また、上記実施形態においては、枕１００の周縁部の一部に逃げ部１１０ａ，１２０ａを設けた。しかし、逃げ部１１０ａ，１２０ａは、枕１００の使用感を向上させるものであり、本発明の必須の構成要素ではない。したがって、逃げ部１１０ａ，１２０ａを設けない構成の枕１００であっても、上記実施形態と同様に、使用者Ｕの欲する使用感の得られる枕１００を簡単かつ短時間に調製することができる。
【図面の簡単な説明】
【００４２】
【図１】（Ａ），（Ｂ）は本発明の一実施形態に係る枕の全体構成を示す図であり、（Ａ）は枕の表側の斜視図であり、（Ｂ）は枕の裏側の斜視図である。
【図２】図１（Ａ）に示す枕における上側生地および下側生地を裏返した際の上側生地の裏面を示す正面図である。
【図３】図１（Ｂ）に示す枕における上側生地および下側生地を裏返した際の下側生地の裏面を示す正面図である。
【図４】図１（Ａ）に示す枕の右側面図である。
【図５】図１（Ａ）に示すＡ−Ａから見た枕の断面図である。
【図６】図４に示す枕における上側生地を捲った状態を示す説明図である。
【符号の説明】
【００４３】
１００…枕、１１０…上側生地、１１０ａ…逃げ部、１１１…表地、１１２…裏地、１１３ａ〜１１３ｇ…詰物充填部、１１４ａ〜１１４ｇ…開口部、１１５ａ〜１１５ｇ…返し布、１１６…面ファスナー、１２０…下側生地、１２０ａ…逃げ部、１２１…表地、１２１ａ，１２１ｂ…襠、１２２…裏地、１２３ａ〜１２３ｇ…詰物充填部、１２４ａ〜１２４ｇ…ファスナー開口部、１２５ａ〜１２５ｇ…返し布、１２６…面ファスナー、１３１…ファスナー。
【図１】
0004553951.tif 000002
【図２】
0004553951.tif 000003
【図３】
0004553951.tif 000004
【図４】
0004553951.tif 000005
【図５】
0004553951.tif 000006
【図６】
0004553951.tif 000007